(57)【要約】【課題】原子炉格納容器フィルタベント操作後のフィルタ容器１２の入口配管１０内に生起する真空状態を解消する。【解決手段】原子炉格納容器１内の圧力が上昇したら、隔離弁６，７を開放して、原子炉格納容器１内の放射性物質を含む高温ガスを、放射性物質を除去するプール水１１と放射性物質除去フィルタ１７とを内蔵するフィルタ容器１２に送る。そして、プール水１１によるスクラビングとフィルタ１７による捕集により、ガス中の放射性物質を極力除去し、放射性物質低減ガスとしての出口配管１４を介して排気筒１５から大気中に排出する。十分減圧されたら、隔離弁６，７を閉鎖する。その後、入口配管１０内の温度が次第に低下し、配管内部の水蒸気が凝縮して配管内が減圧状態となると、逆止弁３６が作動して、真空解消用配管３７を介して外気が入口配管１０内に流入し、減圧状態が解消される。【選択図】図１
2014044118.tif 000002
【特許請求の範囲】
【請求項１】
原子炉格納容器のフィルタベント装置であって、
内部にプール水および放射性物質除去用のフィルタを有するフィルタ容器と、
前記原子炉格納容器内のドライウェルとウェットウェルに連結したベント配管と、
前記ベント配管に設けた隔離弁と、
一端が前記ベント配管に連結され、他端が前記フィルタ容器のプール水内に導入された入口配管と、
前記フィルタ容器内のフィルタに連結する出口配管と、
前記原子炉格納容器のフィルタベント操作後に、開放中の前記隔離弁を閉鎖した後に、前記入口配管に外気を導入することで前記入口配管内で生起する真空を解消させるための真空解消手段とを備えた
ことを特徴とする原子炉格納容器のフィルタベント装置。
【請求項２】
請求項１に記載の原子炉格納容器のフィルタベント装置であって、
前記真空解消手段が、
一端が前記入口配管における前記ベント配管と前記フィルタ容器の間に連結し、他端が前記出口配管に連結した真空解消用配管と、
前記真空解消用配管に設けられ、前記出口配管から前記入口配管への空気の流れのみを許容する逆止弁とを備えた
ことを特徴とする原子炉格納容器のフィルタベント装置。
【請求項３】
請求項１に記載の原子炉格納容器のフィルタベント装置であって、
前記真空解消手段が、
一端が前記入口配管における前記ベント配管と前記フィルタ容器の間に連結し、他端が大気解放された真空解消用配管と、
前記真空解消用配管に設けられ、前記大気解放された他端から前記入口配管への空気の流れのみを許容する逆止弁とを備えた
ことを特徴とする原子炉格納容器のフィルタベント装置。
【請求項４】
請求項２または３に記載の原子炉格納容器のフィルタベント装置において、
一端が前記入口配管における前記ベント配管と前記フィルタ容器の間に連結した窒素供給配管と、
前記窒素供給配管の他端に連結した窒素供給装置と、
前記窒素供給配管に設けた窒素供給弁とを更に備えた
ことを特徴とする原子炉格納容器のフィルタベント装置。
【請求項５】
請求項４に記載の原子炉格納容器のフィルタベント装置において、
前記出口配管に設けた、原子炉格納容器フィルタベント操作時に作動する設定圧力としたラプチャディスクと、
前記出口配管に接続した窒素排出用配管と、
この窒素排出用配管に設けた窒素排出弁とを更に備えた
ことを特徴とする原子炉格納容器のフィルタベント装置。
【請求項６】
請求項５に記載の原子炉格納容器のフィルタベント装置において、
前記入口配管に設けた圧力センサと、
前記圧力センサの検出値を取り込み、この検出値が予め設定された設定値に達したら、前記窒素供給弁に開信号を出力する制御部とを更に備えた
ことを特徴とする原子炉格納容器のフィルタベント装置。
【請求項７】
請求項１乃至６のいずれか１項に記載の原子炉格納容器のフィルタベント装置を備えたことを特徴とする原子炉格納容器。
【発明の詳細な説明】
【技術分野】
【０００１】
本発明は、原子炉格納容器のフィルタベント装置および原子炉格納容器に関する。
【背景技術】
【０００２】
原子力発電プラントでは、設計基準事故を想定し、これに対応できるように機器・設備を設計する。しかし、万一、設計基準事故を超えるような事故が発生した場合にも、大きな災害とならないようにする必要がある。このため、原子力発電プラントの設計基準事故を超えるような事故時において、原子炉格納容器内を減圧しなければ原子炉格納容器の破損に至る可能性がある場合には、原子炉格納容器内の高温ガスを、前記ガスに放射性物質が含まれる場合は極力除去した上で、大気中に排出する必要がある。
【０００３】
この従来技術として、大気中に開口した排気筒と復水貯蔵容器を隔離弁等を介挿したベント配管で接続すると共に、前記復水貯蔵容器と原子炉格納容器との間を隔離弁等を介挿したベント配管で接続しているものがある（特許文献１参照）。
【先行技術文献】
【特許文献】
【０００４】
【特許文献１】特開平９−６１５７７号公報
【発明の概要】
【発明が解決しようとする課題】
【０００５】
特許文献１に記載のようなベント装置では、隔離弁の閉鎖後に、フィルタ容器の入口配管内の温度が次第に低下して内部の水蒸気が凝縮するため、入口配管内が真空状態となる。
入口配管が真空状態となることで、様々な問題が発生する。
【０００６】
例えば、フィルタ容器の入口配管内が真空状態となることで、フィルタ容器のプール水が入口配管内に吸い上げられてしまう。この際に、フィルタ容器の入口配管の上流側に低い箇所が存在する場合には、吸い上げられたプール水が入口配管における低い箇所に留まる可能性がある。
このため、フィルタ容器内のプール水の水量が減少し、放射性物質をスクラビングするための水の量が減少するために、スクラビングに期待する放射性物質の除去の効果が減少してしまうという問題が生じる。
【０００７】
本発明は、原子炉格納容器フィルタベント操作後のフィルタ容器の入口配管内の真空状態を速やかに解消することができる、原子炉格納容器のフィルタベント装置およびこのようなフィルタベント装置を備えた原子炉格納容器を提供する。
【課題を解決するための手段】
【０００８】
上記目的を達成するために、本発明は、原子炉格納容器のフィルタベント装置であって、内部にプール水および放射性物質除去用のフィルタを有するフィルタ容器と、前記原子炉格納容器内のドライウェルとウェットウェルに連結したベント配管と、前記ベント配管に設けた隔離弁と、一端が前記ベント配管に連結され、他端が前記フィルタ容器のプール水内に導入された入口配管と、前記フィルタ容器内のフィルタに連結する出口配管と、前記原子炉格納容器のフィルタベント操作後に、開放中の前記隔離弁を閉鎖した後に、前記入口配管に外気を導入することで前記入口配管内で生起する真空を解消させるための真空解消手段とを備えたことを特徴とするものである。
【発明の効果】
【０００９】
本発明によれば、原子炉格納容器フィルタベント操作後のフィルタ容器の入口配管内の真空状態を速やかに解消することができる。その結果、フィルタ容器内のスクラビング水の水量の減少を抑え、放射性物質を除去する効果を維持することができる。
【図面の簡単な説明】
【００１０】
【図１】本発明の原子炉格納容器およびフィルタベント装置の第１の実施形態の概略構成を示す縦断面図である。
【図２】本発明の原子炉格納容器およびフィルタベント装置の第２の実施形態の概略構成を示す縦断面図である。
【図３】本発明の原子炉格納容器およびフィルタベント装置の第２の実施形態の変形例の概略構成を示す縦断面図である。
【図４】本発明の原子炉格納容器およびフィルタベント装置の第３の実施形態の概略構成を示す縦断面図である。
【発明を実施するための形態】
【００１１】
以下に本発明のフィルタベント装置および原子炉格納容器の実施形態を、図面を用いて説明する。
【００１２】
＜第１の実施形態＞  
本発明のフィルタベント装置および原子炉格納容器の第１の実施形態を、図１を用いて説明する。
図１は本発明の原子炉格納容器およびフィルタベント装置の第１の実施形態の概略構成を示す縦断面図、である。
【００１３】
本発明のフィルタベント装置の第１の実施形態は、原子炉圧力容器２が破損するなどの過酷事故時において、ドライウェル３ならびにウェットウェル４が内在する原子炉格納容器１内の圧力を減少させ、放射性物質を極力除去するものである。
【００１４】
図１において、原子炉建屋内には原子炉格納容器１が格納されている。この原子炉格納容器１内には、ドライウェル３がその上部に設けられており、その下部には冷却水を保有するサプレッションプール５とその上方の気層のウェットウェル４が設けられている。原子炉格納容器１内には原子炉圧力容器２が収容されている。
【００１５】
ベント配管８は、原子炉格納容器１のドライウェル３に接続されている。このベント配管８には隔離弁６が配設されている。ベント配管９は、原子炉格納容器１のウェットウェル４に接続されており、このベント配管９には隔離弁７が配設されている。
これらベント配管８，９は、フィルタベント装置２０におけるフィルタ容器１２の入口配管１０に接続されている。この入口配管１０の先端側は、フィルタ容器１２に導入されている。
【００１６】
フィルタ容器１２内の下部側には、スクラビング用のプール水１１が貯留されている。フィルタ容器１２の上部側には放射性物質除去フィルタ１７が設置されている。このフィルタ１７には、フィルタ容器１２の出口配管１４の一端が接続されている。出口配管１４の他端は遮蔽壁１３を貫通して遮蔽壁１３外に導出されている。この出口配管１４の他端の先には排気筒１５が設けられている。フィルタ容器１２内は、プール水１１中と放射性物質除去フィルタ１７に放射性物質が蓄積することにより、非常に強い放射線源となる。このため、周辺環境への放射線の影響を十分に小さくし、事故後の原子力発電プラントの復旧作業を円滑に進めるために、フィルタ容器１２の周りには遮蔽壁１３が設けられている。
【００１７】
更に、入口配管１０と出口配管１４との間には、真空解消用配管３７が接続されている。この真空解消用配管３７には、出口配管１４側から入口配管１０側へのみ空気の流れを許容する２つの逆止弁３６が設けられている。
【００１８】
フィルタベント装置２０は、この例では、隔離弁６と、隔離弁７と、ベント配管８と、ベント配管９と、入口配管１０と、フィルタ容器１２と、遮蔽壁１３と、出口配管１４と、排気筒１５と、逆止弁３６と、真空解消用配管３７とによって構成されている。
【００１９】
次に、万が一原子炉冷却材喪失事故が起こり、かつ安全系の動的機器に多重故障が発生した場合を想定して、本発明のフィルタベント装置の第１の実施形態の作用（動作）を説明する。
【００２０】
炉心の溶融などにより原子炉圧力容器２の破損が起きた場合、放射性物質を含んだ高温ガスが原子炉格納容器１内に吹き出し、高温ガスが充満することにより原子炉格納容器１内の圧力が上昇する。また、炉心の溶融が進行して、原子炉圧力容器２から原子炉格納容器１へ炉心溶融物が落下する。その後、炉心からの流出水、ならびに炉心溶融物の冷却のために注水された冷却材は、炉心溶融物の崩壊熱によって高温ガスとなる。この高温ガスが原子炉格納容器１内の圧力を一層上昇させることになる。
【００２１】
このように、原子炉格納容器１内の圧力が上昇し、減圧しなければ破損の危険性がある場合には、原子炉格納容器１が破損に至る前に原子炉格納容器１内を減圧する必要がある。
【００２２】
そのため、フィルタベント装置２０は、隔離弁６もしくは隔離弁７を開放し、フィルタ容器１２を介して放射性物質を極力除去した上で排気筒１５から大気中にガスを放出し、原子炉格納容器１内の放射性物質低減ガスを排出する。
【００２３】
例えば、サプレッションプール５が通常水位の場合は、隔離弁６を閉鎖し、隔離弁７を開放する。
これにより、原子炉格納容器１内に発生した放射性物質を含む高温ガスは、ベント配管９と入口配管１０を通して、フィルタ容器１２内のプール水１１と放射性物質除去フィルタ１７とを通過する。そして、フィルタベント装置２０は、プール水１１によるスクラビングとフィルタ１７による捕集により、ガス中の放射性物質を極力除去し、放射性物質を低減したガスを出口配管１４を介して排気筒１５から排出する。
また、サプレッションプール５の水位がベント配管９のウェットウェル４側開放端付近まで上昇した場合は、隔離弁７を閉鎖し、隔離弁６の開放操作をそれぞれ行う。
【００２４】
上述のような作業により、原子炉格納容器１内に発生した放射性物質を含む高温ガスを、ベント配管８と入口配管１０を通して、放射性物質を除去するプール水１１と放射性物質除去フィルタ１７とを内蔵するフィルタ容器１２に送る。そして、フィルタ容器１２内のプール水１１によるスクラビングとフィルタ１７による捕集により、ガス中の放射性物質を極力除去し、放射性物質を低減したガスとして出口配管１４を介して排気筒１５から排出する。
【００２５】
この一連の原子炉格納容器におけるフィルタベント操作によって、原子炉圧力容器２が破損するなどの過酷事故時において、大気中への放射性物質の排出量を極力抑制しつつ、原子炉格納容器１内の各部の圧力を減少させる。この原子炉格納容器フィルタベント操作により、原子炉格納容器１内の圧力を低下させ、原子炉格納容器１の破損の危険性を回避したことを確認した後は、大気中への放射性物質の排出を抑えるために、開放中の隔離弁６もしくは隔離弁７を閉鎖する。
【００２６】
隔離弁６や隔離弁７の閉鎖後には、入口配管１０内の温度が次第に低下し、入口配管１０内部の気体に含まれる水蒸気が凝縮し、配管内の圧力が低下して減圧状態（真空状態）となる。
【００２７】
このように、入口配管１０内が真空状態となった場合、逆止弁３６が作動して、排気塔１５，出口配管１４および真空解消用配管３７を介して、外気（空気）が入口配管１０内に流入するので、入口配管１０内の真空状態が速やかに解消される。
【００２８】
上述した本発明のフィルタベント装置および原子炉格納容器の第１の実施形態によれば、入口配管１０内が真空になった場合、逆止弁３６より外気が自動的に導入されるため、入口配管１０内の真空状態を運転員の操作なしに速やかに解消することができる。
このため、以下に示すような様々な問題が生じることを防止することができる。
【００２９】
例えば、フィルタ容器１２内にある入口配管１０のプール水１１の水面からの立ち上がり長さが、フィルタ容器１１内の圧力に相当する水頭以下で、入口配管１０上流側に低位置箇所が存在する場合には、吸い上げたプール水１１が低位置箇所に留まる可能性がある。この場合、再び原子炉格納容器１内の圧力が上昇し、原子炉格納容器フィルタベント操作が必要となった場合に、プール水１１の水量の減少に伴い、スクラビングに期待する放射性物質除去効果が低下する問題がある。
これに対し、本発明のフィルタベント装置の第１の実施形態によれば、入口配管１０内が真空状態になることが防止されるため、入口配管１０がプール水１１を吸い上げることを防止でき、入口配管１０に低位置箇所が存在しても、その低位置箇所にプール水１１が留まることがなく、スクラビング効果が減少することがない。従って、ベント時に外部に放出される放射性物質の量を十分に低減することが可能である。
【００３０】
また、入口配管１０が真空状態となると、プール水の吸い上げにより形成された入口配管１０中の低位置箇所の滞留水と、原子炉格納容器フィルタベント操作の再開により上流側から流入する高温のガス、もしくはドレンとの衝突により、ウォーターハンマが発生する可能性がある。
しかし、本発明のフィルタベント装置の第１の実施形態によれば、入口配管１０がプール水１１を吸い上げることを防止できるため、ベント再開時に前述のようなウォーターハンマが発生することもなく、入口配管１０へ余計なダメージが発生することを防止することができる。
【００３１】
更に、入口配管１０が真空状態となると、入口配管１０が、プール水１１を吸い上げてプール水１１を内包した状態になることで、原子炉格納容器フィルタベント操作の再開時に、入口配管１０内のプール水１１を押し出すために排気圧力が高くなり、原子炉格納容器内減圧効果が低減する可能性がある。
これに対し、本発明のフィルタベント装置の第１の実施形態によれば、入口配管１０がプール水１１を吸い上げることを防止できるため、ベント時に排気圧力が高くなることを防止でき、減圧効果の低減を防ぐことができる。
【００３２】
また、入口配管１０が真空状態となると、原子炉格納容器フィルタベント操作の再開時、入口配管１０が吸い上げたプール水１１に原子炉格納容器１から高温ガスが流入し衝突した場合に、衝突部で凝縮振動が発生して入口配管１０に過大な応力が発生する可能性がある。
しかし、本発明のフィルタベント装置の第１の実施形態によれば、入口配管１０がプール水１１を吸い上げることを防止できるため、凝縮振動の発生を防止でき、過大な応力が配管に加わることも防ぐことができる。
【００３３】
そのうえ、入口配管１０が、プール水１１を吸い上げることがないため、放射性物質を含んだプール水１１が、入口配管１０を通って、遮蔽壁１３の外に出る可能性もなく、フィルタ容器１２周辺の放射線量の増加を防止でき、メンテナンスや状況確認のためのアクセスに支障が発生することも防止することができる。
【００３４】
更に、最近では、原子炉圧力容器が破損するなどの過酷事故時だけでなく、安全系の動的機器に多重故障が発生し、サプレッションプールの冷却が長時間できないような設計基準事故を超える事故時にも、原子炉格納容器内を減圧するために、原子炉格納容器のベントに原子炉格納容器フィルタベント装置を用いることが検討されているが、本発明のフィルタベント装置および原子炉格納容器の第１の実施形態であれば、上述のような様々な問題が発生することを防止することができる。
【００３５】
また、フィルタ容器内の入口配管に真空解消用の弁を設置すると、放射性物質の崩壊熱で発生するプール水の蒸気が入口配管内に流入し、その流入した蒸気が凝縮することで再び真空状態となり、弁が何度も作動するとの問題があるが、本実施形態のように、真空解消用配管３７の他端側を出口配管１４に接続することによって、放射性物質除去フィルタ１７を通過する前の放射性物質の除去が十分に行われていないガスが入口配管１０側に戻ることを防止でき、入口配管１０付近の線量増加を防止することができる。そのうえ、入口配管１０の真空の解消時に、放射性物質の崩壊熱で発生するプール水１１の蒸気が流入し、その流入した蒸気が凝縮することで、再び真空状態となり、逆止弁３６が何度も作動する可能性を防止でき、安定した真空解消が可能となる。
【００３６】
更に、特許文献１のように入口配管と出口配管とを接続するバイパス配管にバイパス隔離弁を設ける場合、バイパス配管に設けられているバイパス隔離弁は、原子炉格納容器のベント後も炉心への注水等のために復水貯蔵容器の保有水を確保する必要がある場合に、原子炉格納容器内の雰囲気を、復水貯蔵容器を迂回し、バイパス配管を経由して排気筒ら大気中に放出するために設けられているために、本発明のようにバイパス隔離弁を逆止弁とすることができない。
【００３７】
＜第２の実施形態＞  
本発明のフィルタベント装置および原子炉格納容器の第２の実施形態を図２を用いて説明する。
図２は本発明の原子炉格納容器およびフィルタベント装置の第２の実施形態の概略構成を示す縦断面図、である。
【００３８】
本発明のフィルタベント装置および原子炉格納容器の第２の実施形態も、原子炉圧力容器２が破損するなどの過酷事故時において、ドライウェル３ならびにウェットウェル４が内在する原子炉格納容器１内の圧力を減少させ、放射性物質を極力除去するものである。
【００３９】
図２に示すように、フィルタベント装置および原子炉格納容器の第２の実施形態は、第１の実施形態のフィルタベント装置２０に、逆止弁３６および真空解消用配管３７に加えて、更に、フィルタベント装置２０の入口配管１０に、窒素供給装置３１と窒素供給弁３２とを設けた窒素供給配管３３を接続したものである。
具体的には、窒素供給配管３３の一端は、隔離弁６、７下流側のベント配管８，９，もしくは入口配管１０に接続されている。窒素供給配管３３の他端には、窒素供給装置３１が接続されている。窒素供給配管３３には窒素供給弁３２が設けられている。
【００４０】
更に、フィルタベント装置２０の出口配管１４に、原子炉格納容器フィルタベント操作時には確実に作動する設定圧力としたラプチャディスク１６を設けている。このラプチャディスク１６に加えて、更に、出口配管１４に窒素排出用の配管３５を接続し、この窒素排出用の配管３５に窒素排出弁３４を設けてある。
上述した窒素供給配管３３と、窒素供給配管３３の他端に連結した窒素供給装置３１と、窒素供給配管３３に設けた窒素供給弁３２と、窒素排出弁３４および配管３５とは、ベント操作時に、原子炉格納容器１内で発生した水素の流入による爆轟気の形成を避けるために、待機運転中に原子炉格納容器フィルタベント装置２０内を窒素雰囲気で維持するためのものである。
【００４１】
なお、ラプチャディスク１６、窒素供給配管３３、窒素供給装置３１、窒素供給弁３２、窒素排出弁３４および配管３５以外の構成は第１の実施形態のフィルタベント装置および原子炉格納容器と略同じであり、詳細は省略する。
【００４２】
本発明のフィルタベント装置２０の第２の実施形態は、隔離弁６と、隔離弁７と、ベント配管８と、ベント配管９と、入口配管１０と、フィルタ容器１２と、遮蔽壁１３と、出口配管１４と、排気筒１５と、窒素供給装置３１と、窒素供給弁３２と、窒素供給配管３３と、窒素排出弁３４と、配管３５と、逆止弁３６と、真空解消用配管３７とによって構成されている。
【００４３】
以下に、万が一原子炉冷却材喪失事故が起こり、かつ安全系の動的機器に多重故障が発生した場合を想定して、本発明のフィルタベント装置の第２の実施形態の作用（動作）を説明する。
【００４４】
原子炉格納容器１内の圧力が上昇し、減圧しなければ破損の危険性がある場合に、原子炉格納容器１が破損に至る前に原子炉格納容器１内を減圧するために隔離弁６もしくは隔離弁７を開放し、隔離弁６や隔離弁７を閉鎖するまでの作用・動作は、フィルタベント装置の第１の実施形態と略同じである。
【００４５】
隔離弁６または隔離弁７の閉鎖後、運転員は、窒素供給装置３１を作動して窒素供給弁３２を開放し、窒素供給配管３３を介して窒素を入口配管１０内に供給し、入口配管１０内が真空となるのを防ぐ。
【００４６】
ここで、何らかの事情で窒素供給装置３１、窒素供給弁３２のいずれかが作動せず、入口配管１０が真空状態となったとしても、逆止弁３６が作動して、排気塔１５，出口配管１４および真空解消用配管３７を介して外気が入口配管１０内に流入し、入口配管１０内の真空状態が解消される。
【００４７】
また、待機運転時に、窒素排出弁３４を開放後、窒素供給装置３１を作動し、窒素供給弁３２を開放し、配管３５から外部に窒素を排出した後、窒素排出弁３４を閉鎖することで、フィルタベント装置２０内を窒素雰囲気で維持する。
【００４８】
本発明のフィルタベント装置および原子炉格納容器の第２の実施形態においては、隔離弁６または隔離弁７の閉鎖後に、窒素供給装置３１を作動して窒素供給弁３２を開放して窒素を入口配管１０内に供給することで、入口配管１０内が真空状態となることを防止できる。また、万が一、運転員が窒素導入作業を実施できずに、入口配管１０に窒素が供給できなかったとしても、入口配管１０内が真空状態となった場合に、逆止弁３６がすぐに作動して、外気が入口配管１０内に流入し、入口配管１０内の真空状態が、運転員の操作なしに解消され、前述したフィルタベント装置および原子炉格納容器の第１の実施形態とほぼ同様な効果が得られる。
【００４９】
更に、本実施形態によれば、待機運転時に、窒素排出弁３４を開放後、窒素供給装置３１を作動し、窒素供給弁３２を開放し、配管３５から外部に窒素を排出した後、窒素排出弁３４を閉鎖することにより、フィルタベント装置２０内を窒素雰囲気で維持することができる。よって、原子炉格納容器１のフィルタベント操作開始直後に、炉心で発生した水素がフィルタベント装置２０内に流入しても、水素流入による爆轟気の形成を避けることができる。
【００５０】
<第２の実施形態の変形例＞
なお、フィルタベント装置および原子炉格納容器の第２の実施形態では、逆止弁３６および真空解消用配管３７に加えて、更に、入口配管１０に、窒素供給装置３１と窒素供給弁３２とを設けた窒素供給配管３３を接続したが、第２の実施形態はこれに限定されない。以下、第２の実施形態の変形例について図３を用いて説明する。
図３は本発明の原子炉格納容器およびフィルタベント装置の第２の実施形態の変形例の概略構成を示す縦断面図、である。
【００５１】
本発明のフィルタベント装置および原子炉格納容器の第２の実施形態の別の態様は、図３に示すように、窒素供給装置３１と窒素供給弁３２に加えて、圧力センサ３８と制御部３９とを備えたものである。
【００５２】
圧力センサ３８は、入口配管１０内の圧力を検出するためのセンサであり、入口配管１０に接続された配管１０Ａに設けられている。
【００５３】
制御部３９は、圧力センサ３８の検出値（入口配管１０内の圧力）を取り込み、この検出値が予め設定された設定値に達したら、窒素供給弁３２を開くよう開信号を窒素供給弁３２に対して出力する。
この開信号の入力を受けて、窒素供給弁３２は開かれる。
【００５４】
このような態様のフィルタベント装置および原子炉格納容器においても、隔離弁６または隔離弁７の閉鎖後に、窒素供給装置３１を作動させて窒素供給弁３２を開放して窒素を入口配管１０内に供給することや、入口配管１０内が真空状態となった場合に、逆止弁３６がすぐに作動して、外気が入口配管１０内に流入することによって、入口配管１０内の真空状態が解消される。
【００５５】
更に、入口配管１０内の圧力を検出し、この検出値が予め設定された設定値に達したら、窒素供給弁３２を開くよう制御するため、隔離弁６または隔離弁７の閉鎖後に、運転員が必ずしも窒素供給装置３１を作動させて窒素供給弁３２を開放する必要がなく、入口配管１０内が真空状態となることを防止することができるとともに、原子炉格納容器フィルタベント装置２０内を窒素雰囲気で維持することもより容易となる。
【００５６】
なお、本発明のフィルタベント装置および原子炉格納容器の第２の実施形態では、入口配管１０に、窒素供給装置３１と窒素供給弁３２とを設けた窒素供給配管３３や、窒素供給装置３１と窒素供給弁３２とを設けた窒素供給配管３３と圧力センサ３８および制御部３９と、からなる窒素供給系統を設けたが、入口配管１０内に導入するガスは、窒素に限られず、空気などの他の種類のガスを供給するためのガス供給ラインを設けることもできる。
【００５７】
＜第３の実施形態＞  
本発明のフィルタベント装置および原子炉格納容器の第３の実施形態を図４を用いて説明する。
図４は本発明の原子炉格納容器およびフィルタベント装置の第３の実施形態の概略構成を示す縦断面図、である。
【００５８】
本発明のフィルタベント装置および原子炉格納容器の第３の実施形態も、原子炉圧力容器２が破損するなどの過酷事故時において、ドライウェル３ならびにウェットウェル４が内在する原子炉格納容器１内の圧力を減少させ、放射性物質を極力除去するものである。
【００５９】
この実施形態のフィルタベント装置２０では、図１に示す第１の実施形態における出口配管１４に接続した真空解消用配管３７を大気解放させたものである。
【００６０】
なお、真空解消用配管３７Ａ以外の構成は図１に示す第１の実施形態のフィルタベント装置および原子炉格納容器と略同じであるので、詳細は省略する。
【００６１】
本発明のフィルタベント装置２０の第３の実施形態は、隔離弁６と、隔離弁７と、ベント配管８と、ベント配管９と、入口配管１０と、フィルタ容器１２と、遮蔽壁１３と、出口配管１４と、排気筒１５と、逆止弁３６と、真空解消用配管３７Ａとによって構成されている。
【００６２】
本発明のフィルタベント装置および原子炉格納容器の第３の実施形態においても、入口配管１０内が真空状態となった場合、逆止弁３６が作動して、真空解消用配管３７を介して、外気が入口配管１０内に流入し、入口配管１０内の真空状態が、運転員の操作なしに解消され、前述したフィルタベント装置および原子炉格納容器の第１の実施形態とほぼ同様な効果が得られる。
【００６３】
また、この第３の実施形態においても、第２の実施形態やその変形例のように、入口配管１０に、窒素供給装置３１と窒素供給弁３２とを設けた窒素供給配管３３や、窒素供給装置３１と窒素供給弁３２とを設けた窒素供給配管３３と圧力センサ３８および制御部３９と、からなる窒素供給系統を設けることができ、同様の効果が得られる。
【００６４】
なお、本発明は上記の実施形態に限られず、種々の変形、応用が可能なものである。
【符号の説明】
【００６５】
１…原子炉格納容器、
２…原子炉圧力容器、
３…ドライウェル、
４…ウェットウェル、
５…サプレッションプール、
６，７…隔離弁、
８，９…ベント配管、
１０…入口配管、
１０Ａ…配管、
１１…プール水、
１２…フィルタ容器、
１３…遮蔽壁、
１４…出口配管、
１５…排気筒、
１６…ラプチャディスク、
２０…フィルタベント装置、
３１…窒素供給装置、
３２…窒素供給弁、
３３…窒素供給配管、
３４…窒素排出弁、
３５…窒素排出配管、
３６…逆止弁、
３７，３７Ａ…真空解消用配管、
３８…圧力計、
３９…コントローラ。
【図１】
2014044118.tif 000003
【図２】
2014044118.tif 000004
【図３】
2014044118.tif 000005
【図４】
2014044118.tif 000006